(57)【要約】【課題】内視鏡本体に対するチューブ・コード類の接続をワンアクションで可能にして作業性の良い内視鏡システムを実現する。【解決手段】内視鏡システム１は、内視鏡本体２と、光源ランプを有する外部装置としての光源装置３と、流体装置としての吸引装置，前方送水装置及び送液タンク３３とを有して構成される。内視鏡システム１は、内視鏡本体２に設けた総合コネクタ２９と、内視鏡本体２に形成した流体通路及び光伝達手段としてのライトガイドと、光入射部としてのライトガイドコネクタ５２と、流体通路開口部としての流体コネクタ５３と、光源装置３に設けた総合コネクタ受け部４０と、導光手段としての集光レンズと、流体供給管路としての吸引装置等のチューブ類３１ａ〜３３ａ及び管路ユニット内のユニット内チューブ類とを具備して構成される。【選択図】図２
2004337311.tif 000002
【特許請求の範囲】
【請求項１】
被検体の内部を観察可能に構成した内視鏡本体と、
前記被検体の被検部位を照明するための照明光を発生する光源を有する外部装置と、
前記内視鏡本体から噴出させる流体を供給する又は前記内視鏡本体より流体を吸引する前記外部装置と別体に設けた流体装置と、
前記内視鏡本体を前記外部装置に接続するための前記内視鏡本体の一端部側に設けたコネクタと、
前記コネクタを介して前記内視鏡本体に入射した光を前記内視鏡本体の他端部側まで伝達する前記内視鏡本体に設けた光伝達手段と、
前記コネクタを介して前記内視鏡本体に流体の通過を可能とする前記内視鏡本体に形成した流体通路と、
前記コネクタが挿入されることで、前記内視鏡本体を前記外部装置に接続する前記外部装置に設けたコネクタ受けと、
前記光源からの照明光を前記コネクタ受けに導光する導光手段と、
前記コネクタ受けへの前記コネクタの挿入動作に応じて前記導光手段と光学的に接続される前記光伝達手段の一端部側に設けた光入射部と、
前記コネクタ受けへの前記コネクタの挿入動作に応じて前記流体装置から供給された流体又は前記流体装置に吸引された流体を前記流体通路へ流入可能に形成した前記流体通路の一端部側に設けた流体通路開口部と、
前記コネクタ受けへの前記コネクタの挿入動作に応じて前記流体通路開口部に接続されることで、前記流体装置から供給された流体又は前記流体装置に吸引された流体を前記外部装置を経由して前記流体通路開口部へ流入させる流路を形成した流体供給管路と、を具備したことを特徴とする内視鏡システム。
【請求項２】
前記流体供給管路は、前記コネクタ受けへの前記コネクタの挿入動作に応じて前記流体通路開口部に接続される第１の接続管路と、この第１の接続管路と前記流体装置とを接続して前記流体装置から供給された流体又は前記流体装置に吸引された流体を前記第１の接続管路と流通させる第２の接続管路と、を具備したことを特徴とする請求項１に記載の内視鏡システム。
【請求項３】
前記内視鏡本体と前記外部装置との間で所定の電気信号を伝送するための前記コネクタに設けた第１の電気接続手段と、
前記コネクタ受けへの前記コネクタの挿入動作に応じて前記第１の電気接続手段と電気的に接続して前記内視鏡本体と前記外部装置との間で前記電気信号を伝送可能とする前記コネクタ受けに設けた第２の電気接続手段と、を更に具備したことを特徴とする請求項１に記載の内視鏡システム。
【請求項４】
前記外部装置の内部に前記第１の接続管路を配設したことを特徴とする請求項２に記載の内視鏡システム。
【請求項５】
前記外部装置に対して着脱自在に構成した管路ユニットに前記第１の接続管路を設けたことを特徴とする請求項２又は４に記載の内視鏡システム。
【請求項６】
前記第１の接続管路は、前記流体通路開口部と接続するための所定の方向に開口した第１の開口部と、前記第２の接続管路と接続するための前記第１の開口部と同一方向に開口した第２の開口部と、を具備したことを特徴とする請求項２〜５に記載の内視鏡システム。
【発明の詳細な説明】
【０００１】
【発明の属する技術分野】
本発明は、被検体の内部を観察可能に構成した内視鏡本体を備えた内視鏡システムに関する。
【０００２】
【従来の技術】
従来より、内視鏡システムは、広く利用されている。内視鏡システムは、細長の挿入部を体腔内に挿入することにより、体腔内臓器などを観察したり、必要に応じて処置具チャンネル内に挿通した処置具を用いて各種治療処置ができる。また、工業分野においても、内視鏡システムは、細長の挿入部を挿入することにより、ボイラ，タービン，エンジン，化学プラントなどの内部の傷や腐蝕などを観察したり検査することができる。
【０００３】
一般に、内視鏡システムは、光源装置や制御装置等の外部装置に内視鏡本体が接続されて使用される。このような従来の内視鏡システムは、例えば、特開平１０−２７６９６３号公報や特開平１１−２５３３９３号公報に記載されているように外部装置との接続が例えば内視鏡本体の操作部から延出するユニバーサルコード等の端部に設けたコネクタを介して行なわれるものが提案されている。
【０００４】
上記従来の内視鏡システムは、例えば、図１３及び図１４に示すように構成される。図１３は従来の内視鏡システムを示す全体構成図、図１４は図１３の内視鏡本体のコネクタを示す外観斜視図である。
図１３に示すように従来の内視鏡システム２００は、内視鏡本体２０１を備えて構成される。上記内視鏡本体２０１は、挿入部２０２と操作部２０３とから構成され、この操作部２０３側部からユニバーサルコード２０４が延出している。
【０００５】
上記ユニバーサルコード２０４の端部には、光源装置２１１に接続されるコネクタ２０５が設けられている。このコネクタ２０５の側部には、ビデオプロセッサ２１２に接続される電気ケーブル２０６が接続され、延出している。尚、ビデオプロセッサ２１２には、患者情報の入力等を行うキーボード２１３や内視鏡画像を表示するモニタ２１４が接続されている。
【０００６】
また、このコネクタ２０５には、吸引装置２１５の排出チューブ２１５ａや前方送水装置２１６の前方送水用導液チューブ２１６ａや送液タンク２１７のタンクチューブ２１７ａ等のチューブ類が接続されるようになっている。更に、コネクタ２０５には、高周波焼灼装置２１８のアースコード２１８ａが接続されるようになっている。尚、光源装置２１１、ビデオプロセッサ２１２、モニタ２１４、吸引装置２１５等は、キーボード２１３と共に架台２１９に配置されている。
【０００７】
図１４に示すように上記コネクタ２０５は、光源装置２１１に接続されるライトガイド口金２２１と、光源装置２１１に設けられた図示しない送気ポンプに接続される送気コネクタ２２２とが突設されている。また、コネクタ２０５には、この側部に前記電気ケーブル２０６を介してビデオプロセッサ２１２と接続される電気コネクタ２２３が設けられている。
【０００８】
更に、コネクタ２０５には、吸引装置２１５の排出チューブ２１５ａが接続される吸引コネクタ２２４、前方送水装置２１６の前方送水用導液チューブ２１６ａが接続される前方送水用送液コネクタ２２５、送液タンク２１７のタンクチューブ２１７ａが接続される送液コネクタ２２６及び加圧コネクタ２２７が設けられている。尚、符号２２８は、不使用時に前方送水用送液コネクタ２２５の栓をするためのキャップであり、符号２２９は光源装置２１１に接続されて調光信号等を光源装置に伝送する電気接点である。
更に、コネクタ２０５には、高周波焼灼装置２１８のアースコード２１８ａが接続されるアース口金２３０が設けられている。
【０００９】
このような内視鏡本体２０１を備えた従来の内視鏡システム２００は、内視鏡検査毎に洗浄・消毒する必要がある。このため、上記従来の内視鏡システム２００は、検査毎に内視鏡本体２０１のコネクタ２０５に接続されるチューブ・コード類を一々着脱する必要があり、作業効率が悪く煩雑であった。
【００１０】
一方、これに対して従来の内視鏡システムは、例えば、特開２００２−３４９１２号公報に記載されているようにビデオプロセッサと光源装置とが接続ケーブルにより接続されているものが提案されている。
【００１１】
そして、上記公報に記載の内視鏡システムは、内視鏡本体のコネクタに電気接点部を設けているので、内視鏡本体のコネクタをワンアクションで光源装置に接続することで、この光源装置を介して内視鏡本体とビデオプロセッサとが接続可能になっている。
しかしながら、上記公報に記載の内視鏡システムは、アースコードや送気・送水及び前方送水等のチューブ類の接続に関して全く触れられていない。
【００１２】
一方、これに対して従来の内視鏡システムは、特開昭６２−３４５２５号公報に記載されているようにビデオプロセッサに光源装置及び送気ポンプを内蔵して一体的に構成されたものが提案されている。
上記公報に記載の内視鏡システムは、内視鏡本体のコネクタをワンアクションでビデオプロセッサに接続することで、電気コネクタとライトガイドコネクタ及び送気コネクタとが一度に接続されるようになっている。
【００１３】
【特許文献１】
特開平１０−２７６９６３号公報
【００１４】
【特許文献２】
特開平１１−２５３３９３号公報
【００１５】
【特許文献３】
特開２００２−３４９１２号公報
【００１６】
【特許文献４】
特開昭６２−３４５２５号公報
【００１７】
【発明が解決しようとする課題】
しかしながら、上記特開昭６２−３４５２５号公報に記載の内視鏡システムは、送気ポンプに接続される送気コネクタを設けているが、その他の送液チューブや前方送水チューブ等のチューブ類及びアースコードの接続に関して全く触れられていない。
【００１８】
本発明は、上記事情に鑑みてなされたもので、内視鏡本体に対するチューブ・コード類の接続をワンアクションで可能にして作業性の良い内視鏡システムを提供することを目的とする。
【００１９】
【課題を解決するための手段】
本発明の請求項１に記載の内視鏡システムは、被検体の内部を観察可能に構成した内視鏡本体と、前記被検体の被検部位を照明するための照明光を発生する光源を有する外部装置と、前記内視鏡本体から噴出させる流体を供給する又は前記内視鏡本体より流体を吸引する前記外部装置と別体に設けた流体装置と、前記内視鏡本体を前記外部装置に接続するための前記内視鏡本体の一端部側に設けたコネクタと、前記コネクタを介して前記内視鏡本体に入射した光を前記内視鏡本体の他端部側まで伝達する前記内視鏡本体に設けた光伝達手段と、前記コネクタを介して前記内視鏡本体に流体の通過を可能とする前記内視鏡本体に形成した流体通路と、前記コネクタが挿入されることで、前記内視鏡本体を前記外部装置に接続する前記外部装置に設けたコネクタ受けと、前記光源からの照明光を前記コネクタ受けに導光する導光手段と、前記コネクタ受けへの前記コネクタの挿入動作に応じて前記導光手段と光学的に接続される前記光伝達手段の一端部側に設けた光入射部と、前記コネクタ受けへの前記コネクタの挿入動作に応じて前記流体装置から供給された流体又は前記流体装置に吸引された流体を前記流体通路へ流入可能に形成した前記流体通路の一端部側に設けた流体通路開口部と、前記コネクタ受けへの前記コネクタの挿入動作に応じて前記流体通路開口部に接続されることで、前記流体装置から供給された流体又は前記流体装置に吸引された流体を前記外部装置を経由して前記流体通路開口部へ流入させる流路を形成した流体供給管路と、を具備したことを特徴としている。
また、本発明の請求項２は、請求項１に記載の内視鏡システムにおいて、前記流体供給管路は、前記コネクタ受けへの前記コネクタの挿入動作に応じて前記流体通路開口部に接続される第１の接続管路と、この第１の接続管路と前記流体装置とを接続して前記流体装置から供給された流体又は前記流体装置に吸引された流体を前記第１の接続管路と流通させる第２の接続管路と、を具備したことを特徴としている。
また、本発明の請求項３は、請求項１に記載の内視鏡システムにおいて、前記内視鏡本体と前記外部装置との間で所定の電気信号を伝送するための前記コネクタに設けた第１の電気接続手段と、前記コネクタ受けへの前記コネクタの挿入動作に応じて前記第１の電気接続手段と電気的に接続して前記内視鏡本体と前記外部装置との間で前記電気信号を伝送可能とする前記コネクタ受けに設けた第２の電気接続手段と、を更に具備したことを特徴としている。
また、本発明の請求項４は、請求項２に記載の内視鏡システムにおいて、前記外部装置の内部に前記第１の接続管路を配設したことを特徴としている。
また、本発明の請求項５は、請求項２又は４に記載の内視鏡システムにおいて、前記外部装置に対して着脱自在に構成した管路ユニットに前記第１の接続管路を設けたことを特徴としている。
また、本発明の請求項６は、請求項２〜５に記載の内視鏡システムにおいて、前記第１の接続管路は、前記流体通路開口部と接続するための所定の方向に開口した第１の開口部と、前記第２の接続管路と接続するための前記第１の開口部と同一方向に開口した第２の開口部と、を具備したことを特徴としている。
これらの構成により、内視鏡本体に対するチューブ・コード類の接続をワンアクションで可能にして作業性の良い内視鏡システムを実現する。
【００２０】
【発明の実施の形態】
以下、図面を参照して本発明の１実施の形態を説明する。
図１ないし図１２は本発明の１実施の形態に係わり、図１は本発明の１実施の形態の内視鏡システムを示す全体構成図、図２は図１の光源装置及びビデオプロセッサの接続関係を示す説明図、図３は図１の内視鏡本体内の流体通路を示す説明図、図４は図２の光源装置及びビデオプロセッサの内部構成を示す回路ブロック図、図５は図２の光源装置の総合コネクタ受け部付近を示す拡大斜視図、図６は図５の管路ユニットの背面側を示す斜視図、図７は図５の光源装置の総合コネクタ受け部付近を示す正面図、図８は図５の光源装置内部の管路ユニット装着部付近及び管路ユニットの内部構成を示す説明図、図９は光源装置の着脱機構付近を示す要部断面図、図１０は図９の着脱機構付近の縦断面図、図１１は本実施の形態の作用を示す説明図、図１２は送気送液制御弁付近の説明図である。
【００２１】
図１に示すように本発明の１実施の形態の内視鏡システム１は、被検体の内部を観察可能に構成した内視鏡本体２と、内視鏡本体２の外部装置として照明光を供給する光源装置３と、内視鏡本体２の撮像手段から出力された出力信号に対する信号処理を行って、映像信号を出力するビデオプロセッサ４とから主に構成される。尚、ビデオプロセッサ４は、モニタ５に接続され、このモニタ５に映像信号を出力して内視鏡画像を表示させるようになっている。また、ビデオプロセッサ４には、患者情報の入力等を行うキーボード６が接続されている。
【００２２】
内視鏡本体２は、体腔内等に挿入される細長の挿入部１１と、この挿入部１１の基端側に連設され、把持部を兼ねる操作部１２が設けられている。また、内視鏡本体２は、この操作部１２に側部から延出した軟性のユニバーサルコード１３が設けられている。このユニバーサルコード１３は、光伝達手段としてのライトガイドや信号ケーブルや後述の流体通路を構成しているチューブやケーブル類を内挿している。
【００２３】
また、挿入部１１は、その先端に設けられた硬質の先端部１４と、この先端部１４の後端に設けられた湾曲自在の湾曲部１５と、この湾曲部１５の後端に設けられた長尺で可撓性を有する可撓管部１６とから構成される。尚、湾曲部１５は、操作部１２に設けられた湾曲操作レバー１７により湾曲操作が可能である。
【００２４】
また、挿入部１１の先端部１４には、観察窓２１と、この観察窓２１の表面に水や空気等の流体を噴きつけて洗滌する送気送水ノズル２２と、照明窓２３と、処置具挿通用チャンネル（図３参照）の先端開口部２４と、被検体の被検部位を洗浄するための前方送水開口部２５とが設けられている。尚、観察窓２１の後方には、図示しない対物光学系が配設されている。又、図示しないが、この対物光学系の結像位置には撮像ユニットの撮像面（光学式内視鏡の場合、イメージガイドやリレーレンズ等の像伝達光学系の像入射端面）が配置されている。また、照明窓２３の後方には、ライトガイドの出射端面が配置されている。
【００２５】
また、操作部１２には、送気送水ノズル２２から気体や液体等の流体を噴出させるための送気送水操作釦２６と、処置具挿通用チャンネルの先端開口２４から選択的に体腔内の粘液等を回収するための吸引操作釦２７とが配設されている。
尚、処置具挿通用チャンネルは、挿入部１１内に配設された後述のチューブ等によって流体通路を形成され、操作部１２の前端付近に設けた処置具挿入口２８と連通している。尚、処置具挿入口２８の端縁部には、図示しない鉗子栓が着脱自在に装着されるようになっている。
【００２６】
また、ユニバーサルコード１３の端部には、光源装置３に接続される総合コネクタ２９が設けられている。
一方、光源装置３には、総合コネクタ２９が接続されると共に、吸引装置３１の排出チューブ３１ａ，前方送水装置３２の前方送水用導液チューブ３２ａ及び送液タンク３３のタンクチューブ３３ａ等のチューブ類が接続されるようになっている。尚、吸引装置３１，前方送水装置３２及び送液タンク３３は、流体装置を構成している。
【００２７】
また、光源装置３、ビデオプロセッサ４、モニタ５、吸引装置３１等は、キーボード６と共に架台３５に配置されている。
図２に示すように光源装置３のフロントパネル３ａには、上述した吸引装置３１等のチューブ類３１ａ〜３３ａが着脱自在に接続されると共に、内視鏡本体２の総合コネクタ２９が着脱自在に接続される総合コネクタ受け部４０が設けられている。
【００２８】
総合コネクタ受け部４０は、電気コネクタ受け部４１と、ライトガイド受け部４２と、管路ユニット部４３とから構成される。尚、ライトガイド受け部４２の下には、従来の内視鏡本体のコネクタに設けた送気コネクタ２２２（図１４参照）が接続されて使用可能なように送気コネクタ受け部３９が設けられている。
【００２９】
管路ユニット部４３は、吸引装置３１の排出チューブ３１ａが接続される吸引コネクタ４４、前方送水装置３２の前方送水用導液チューブ３２ａが接続される前方送水用送液コネクタ４５、送液タンク３３のタンクチューブ３３ａが接続される送液コネクタ４６及び加圧コネクタ４７が設けられている。尚、電気コネクタ受け部４１は第２の電気接続手段を構成している。
【００３０】
また、管路ユニット部４３は、流体コネクタ受け部４８が設けられている。また、流体コネクタ受け部４８には、後述する前方送水用送液コネクタ受け部と、吸引コネクタ受け部と、加圧コネクタ受け部と、送液コネクタ受け部とが設けられている。尚、本実施の形態では、管路ユニット部４３は、後述する管路ユニットが管路ユニット装着部から着脱自在な構成となっている。
【００３１】
また、光源装置３のフロントパネル３ａには、高周波焼灼装置３４のアースコード３４ａが接続されるアース口金４９が設けられている。尚、高周波焼灼装置３４は、図示しない電気メス又は高周波プローブが接続されて、被検体の患部に高周波処置を行えるようになっている。
【００３２】
また、光源装置３とビデオプロセッサ４とは、背面に延出する電気ケーブル５０ａで接続されている。これら光源装置３及びビデオプロセッサ４は、図１３及び図１４に図示した従来の内視鏡本体２０１のコネクタ２０５に設けた電気コネクタ２２３が電気ケーブル２０６を介して接続されて使用可能なように電気コネクタ５０ｂ，５０ｃが設けられている。
【００３３】
一方、総合コネクタ２９には、総合コネクタ受け部４０の電気コネクタ受け部４１に接続する電気コネクタ５１と、総合コネクタ受け部４０のライトガイド受け部４２に接続するライトガイドコネクタ５２と、総合コネクタ受け部４０の流体コネクタ受け部４８に接続する流体コネクタ５３が設けられている。尚、電気コネクタ５１は第１の電気接続手段を構成し、ライトガイドコネクタ５２は光入射部を構成し、流体コネクタ５３は流体通路開口部を構成している。
【００３４】
流体コネクタ５３には、前方送水用送液コネクタ５４と、吸引コネクタ５５と、加圧コネクタ５６と、送液コネクタ５７とが設けられている。
そして、内視鏡本体２は、図３に示すように総合コネクタ受け部４０から連通するチューブ類で流体通路を形成している。
【００３５】
図３に示すように前方送水用送液コネクタ５４には、前方送水用送液チューブ６１が接続されている。吸引コネクタ５５には、吸引チューブ６２が接続されている。加圧コネクタ５６には、送気チューブ６３が接続されている。送液コネクタ５７には、送液チューブ６４が接続されている。これら前方送水用送液チューブ６１、吸引チューブ６２、送気チューブ６３及び送液チューブ６４はいずれもユニバーサルコード１３内を通じて操作部１２内に導かれている。
また、操作部１２の内部において、吸引チューブ６２の途中には吸引制御弁６５が介挿され、送気チューブ６３と送液チューブ６４との途中には送気送液制御弁６６が介挿されている。
【００３６】
送気チューブ６３の先端と送液チューブ６４の先端とは、操作部１２の内部においてＹの字状に形成された送気送液管路分岐部６７を介して一本の送気送液管路を構成する送気送液チューブ６８に合流している。この送気送液チューブ６８は、挿入部１１内を通じて先端部１４まで導かれ、送気送水ノズル２２に接続されている。
【００３７】
そして、送気送水操作釦２６を押下操作することで、内視鏡本体２は、送気送液制御弁６６により送気管路と送液管路との切り替え及び開閉が行われ、送気送液管路分岐部６７を通じて一本の送気送液チューブ６８に対しての送気又は送液を選択的に行えるようになっている。そして、内視鏡本体２は、送気送水ノズル２２から観察窓２１に向けて水や空気等の流体を噴き付けて清掃を行うことが可能となっている。
【００３８】
一方、吸引チューブ６２の先端は、略Ｙの字状の吸引管路分岐部６９を介して処置具挿通用チャンネル７０の途中部分に接続され、処置具挿通用チャンネル７０の先端側部分と吸引チューブ６２とにより吸引管路を形成している。また、処置具挿通用チャンネル７０の吸引管路を形成しない手元側部分は、処置具挿入口２８を形成している。
【００３９】
操作部１２において、吸引チューブ６２の途中には吸引操作釦２７を有した吸引制御弁６５が介挿されている。吸引制御弁６５は、通常、吸引チューブ６２を閉止して吸引作用を遮断している。しかしながら、吸引操作釦２７が押下操作されると、内視鏡本体２は、吸引制御弁６５の動作により吸引チューブ６２が開放され、この吸引チューブ６２を通じての吸引作用が処置具挿通用チャンネル７０に作用するようになっている。そして、内視鏡本体２は、吸引管路の先端開口部２２より体腔内の粘液等を吸引して回収することが可能となっている。
尚、吸引制御弁６５は吸引チューブ６２を閉止し、処置具挿通用チャンネル７０に対する吸引作用を遮断しているとき、吸引ポンプの負荷を軽減するために外気を吸引できるように構成されている。
【００４０】
また、内視鏡本体２の内部において、前方送水用送液チューブ６１は、前方送水開口部２５まで１本で形成され、前方送水装置３２の操作により供給された滅菌水を前方送水開口部２５から被検部位に向けて前方送水するようになっている。尚、図３において、符号７１は撮像ユニットであり、この撮像ユニット７１から延出する信号ケーブル７１ａが総合コネクタ２９の電気コネクタ５１（図２参照）に接続されている。
【００４１】
そして、内視鏡本体２の総合コネクタ２９を光源装置３の総合コネクタ受け部４０にワンアクションで接続することで、内視鏡本体２は光源装置３を介してビデオプロッセ４、吸引装置３１、前方送水装置３２、高周波焼灼装置３４のアースに接続されるようになっている。
【００４２】
また、図４に示すように光源装置３は、被検体の被検部位を照明するための照明光を発生する光源ランプ７２を有している。そして、光源装置３のライトガイド受け部４２に内視鏡本体２のライトガイドコネクタ５２が接続されていると、光源ランプ７２で発生した照明光は、導光手段としての集光レンズ７３でライトガイドコネクタ５２内の図示しないライトガイドの光入射端に集光入射され光出射端まで導光される。
【００４３】
そして、ライトガイドから伝達された照明光は、図示しない照明光学系を介して挿入部先端部１４の照明窓２３から患部などの被検部位を照明するようになっている。この照明光によって照明された被検部位からの反射光は、挿入部先端部１４の観察窓２１から対物光学系を介して被写体像として内視鏡本体２へ取り込まれる。
【００４４】
ここで、本実施の形態では、光源装置３は、内視鏡本体２の撮像ユニット７１を駆動する駆動回路７４Ａを有して構成されている。このことにより、撮像ユニット７１は、光源装置３の駆動回路７４Ａにより制御駆動される。尚、ビデオプロセッサ４は、従来の内視鏡本体が接続されて使用可能なように光源装置３と同様な駆動回路７４Ｂを有して構成されている。
【００４５】
そして、光源装置３の駆動回路７４Ａから電気コネクタ受け部４１を介して出力される駆動信号は、総合コネクタ２９の電気コネクタ５１を介して信号ケーブル７１ａに伝達され、撮像ユニット７１を駆動する。
【００４６】
そして、取り込まれた被写体像は、撮像ユニット７１により撮像されて光電変換され、撮像信号に変換されるようになっている。この撮像信号は、撮像ユニット７１から信号ケーブル７１ａを伝達され、ユニバーサルコード１３の電気コネクタ５１から電気コネクタ受け部４１を介して光源装置３の駆動回路７４Ａへ出力される。撮像信号は、光源装置３の駆動回路７４Ａからビデオプロセッサ４の信号処理回路７５へ出力される。信号処理回路７５は、撮像信号を信号処理して、標準的な映像信号を生成し、モニタ５に内視鏡画像を表示させるようになっている。
【００４７】
尚、光源装置３及びビデオプロセッサ４は、それぞれの駆動回路７４Ａ，７４Ｂ内に絶縁トランス等により構成されたアイソレーション回路７６（図中『Ｆ』で図示）が設けられている。このアイソレーション回路７６は、フォトカプラ或いはコンデンサ、トランス等の図示しないアイソレーション素子により構成されている。
【００４８】
このことにより、内視鏡本体２内の撮像ユニット７１に接続されている患者回路である駆動回路７４Ａ，７４Ｂは、信号処理回路７５及び装置内の他の回路に対して電気的絶縁を所定の耐電圧、漏れ電流で維持しつつ電気信号を伝達可能な構成となっている。
【００４９】
また、光源装置３及びビデオプロセッサ４は、それぞれ商用電源に接続される電源回路７７を有して構成されており、この電源回路７７内にも駆動回路７４Ａ，７４Ｂと同様にアイソレーション回路７６が設けられている。このことにより、電源回路７７は、商用電源との間での電気的絶縁を所定の耐電圧、漏れ電流で維持しつつ電力を各部に伝達可能な構成となっている。
【００５０】
また、光源装置３は、送気ポンプ７８と、この送気ポンプ７８の下位側に配設される送気バルブ７９と、この送気バルブ７９の切り換え（開閉）を制御する制御回路８０を有して構成される。そして、送気ポンプ７８からの送気ガスは、送気バルブ７９により切り換えられて送気コネクタ受け部３９又は管路ユニット部４３へ供給されるようになっている。
【００５１】
次に、図５ないし図８を参照して光源装置３の総合コネクタ受け部４０の詳細構成を説明する。
図５に示すように光源装置３の総合コネクタ受け部４０において、管路ユニット部４３は、フロントパネル３ａに設けた管路ユニット係止解除ノブ８１を操作することにより、管路ユニット４３Ａが管路ユニット装着部４３Ｂから着脱自在な構成となっている。
【００５２】
尚、符号８２は、光源装置３の電源スイッチである。また、符号８２ａは、ＬＥＤ（  Ｌｉｇｈｔ  Ｅｍｉｔｔｉｎｇ  Ｄｉｏｄｅ  ）等で形成された電源動作状態表示部である。電源スイッチ８２がオンされて光源装置３が起動している際には、電源動作状態表示部８２ａが点灯して術者に告知するようになっている。
【００５３】
管路ユニット４３Ａは、上述したように吸引装置３１等のチューブ類３１ａ〜３３ａが接続される吸引コネクタ４４、前方送水用送液コネクタ４５、送液コネクタ４６及び加圧コネクタ４７と、内視鏡本体２の総合コネクタ２９が接続される流体コネクタ受け部４８とが設けられている。尚、前方送水用送液コネクタ４５には、不使用時に栓をするためのキャップ４５ａが取り付けられている。
【００５４】
流体コネクタ受け部４８には、総合コネクタ２９の流体コネクタ５３が接続されるようになっており、流体コネクタ５３の前方送水用送液コネクタ５４が接続される前方送水用送液コネクタ受け部８４と、流体コネクタ５３の吸引コネクタ５５が接続される吸引コネクタ受け部８５と、流体コネクタ５３の加圧コネクタ５６が接続される加圧コネクタ受け部８６と、流体コネクタ５３の送液コネクタ５７が接続される送液コネクタ受け部８７とが設けられている。
【００５５】
また、管路ユニット４３Ａの背面側には、図６に示すように管路ユニット装着部４３Ｂに着脱自在に取り付けるための係止爪８８が設けられている。また、管路ユニット４３Ａの背面側には、送気ポンプ７８から送気バルブ７９を介して供給される送気ガスを入力するための送気入力コネクタ８９が設けられている。
【００５６】
一方、管路ユニット装着部４３Ｂは、図７に示すように係止爪挿通孔９１が形成されており、この係止爪挿通孔９１を係止爪８８が挿通して内部に設けた後述の着脱機構により着脱自在に管路ユニット４３Ａを係止するようになっている。
【００５７】
また、管路ユニット装着部４３Ｂには、管路ユニット４３Ａを取り付けた際に位置決めを行うための当て付け部９２が設けられている。更に、管路ユニット装着部４３Ｂには、管路ユニット４３Ａの送気入力コネクタ８９が接続される送気入力コネクタ受け部９３が設けられている。
【００５８】
この送気入力コネクタ受け部９３は、図８に示すように装置内部で先端側を送気入力コネクタ受け保持部９４で保持され、この送気入力コネクタ受け保持部９４にねじ止め固定された送気入力コネクタ保持板９５で基端側を保持されている。
【００５９】
また、送気入力コネクタ受け部９３の基端側には、送気バルブ７９から延出する装置側第１送気チューブ９６ａが接続されており、送気ポンプ７８からの送気ガスが供給されるようになっている。また、送気バルブ７９から延出する装置側第２送気チューブ９６ｂは、送気コネクタ受け部３９（図７参照）に接続されており、送気ポンプ７８からの送気ガスが供給されるようになっている。
【００６０】
一方、管路ユニット４３Ａの内部は、送気入力コネクタ８９の先端側にユニット内送気チューブ１０１が接続されてＴの字状に形成された送気・加圧分岐部１０２を介して加圧コネクタ４７と流体コネクタ受け部４８の加圧コネクタ受け部８６とに分岐している。
【００６１】
また、管路ユニット４３Ａの内部において、吸引装置３１の排出チューブ３１ａが接続される吸引コネクタ４４と、総合コネクタ２９の吸引コネクタ５５が接続される流体コネクタ受け部４８の吸引コネクタ受け部８５とはユニット内吸引チューブ１０３で連結されている。
【００６２】
同様に、管路ユニット４３Ａの内部において、前方送水装置３２の前方送水用導液チューブ３２ａが接続される前方送水用送液コネクタ４５と、総合コネクタ２９の前方送水用送液コネクタ５４が接続される流体コネクタ受け部４８の前方送水用送液コネクタ受け部８４とはユニット内前方送水用送液チューブ１０４で連結されている。
【００６３】
更に、同様に管路ユニット４３Ａの内部において、送液タンク３３のタンクチューブ３３ａが接続される送液コネクタ４６と、総合コネクタ２９の送液コネクタ５７が接続される送液コネクタ受け部８７とはユニット内送液チューブ１０５で連結されている。
【００６４】
このことにより、管路ユニット４３Ａは、ユニット内チューブ類１０３〜１０５を経由することで流体としての液体を光源装置内部を通さず、ユニット内部のみの連通により内視鏡本体２と吸引装置３１等の各装置との接続が可能となっている。
【００６５】
即ち、吸引装置３１等のチューブ類３１ａ〜３３ａと管路ユニット４３Ａ内のユニット内チューブ類１０３〜１０５とは流体供給管路を構成し、管路ユニット４３Ａ内のユニット内チューブ類１０３〜１０５は第１の接続管路であり、吸引装置３１等のチューブ類３１ａ〜３３ａは第２の接続管路である。また、管路ユニット部４３の流体コネクタ受け部４８は第１の開口部を構成しており、前方送水用送液コネクタ４５、送液コネクタ４６及び加圧コネクタ４７は第２の開口部を構成している。
【００６６】
従って、管路ユニット装着部４３Ｂと管路ユニット４３Ａとは、送気入力コネクタ８９のみの接続で済み、即ち、流体としてガス系のみの接続で済み、着脱機構により管路ユニット４３Ａを取り外すことで、液体管路の洗滌性・滅菌消毒性が向上可能である。
【００６７】
次に、図９及び図１０を参照して管路ユニット部４３の着脱機構について説明する。ここで、図９は光源装置の着脱機構付近を示す要部断面図であり、図１０は図９の着脱機構付近の縦断面図である。
図９及び図１０に示すように着脱機構は、管路ユニット装着部４３Ｂの背面側において、左右方向に移動可能な管路ユニット係止片１１１を設けて構成される。尚、図１０中、符号３ｂは、光源装置３の外装部材である。
【００６８】
管路ユニット係止片１１１は、一端が管路ユニット係止解除ノブ８１にねじ止め固定され、他端が引張りコイルバネ１１２と連結している。この管路ユニット係止片１１１は、管路ユニット装着部４３Ｂの係止爪挿通孔９１を挿通した管路ユニット４３Ａの係止爪８８が係止される係止爪保持孔１１３を形成されている。
【００６９】
管路ユニット係止解除ノブ８１は、左右方向に移動可能なようにノブ孔８１ａを挿通してフロントパネル３ａに突設して露出されており、この基端側が管路ユニット係止片１１１をねじ止め固定している。
【００７０】
引張りコイルバネ１１２は、一端が管路ユニット係止片１１１と連結し、他端がばね固定部材１１４に接続固定されている。このため、引張りコイルバネ１１２は、通常、管路ユニット装着部４３Ｂの係止爪挿通孔９１と管路ユニット係止片１１１の係止爪保持孔１１３との位置が互い違いになって管路ユニット４３Ａの係止爪８８を保持（ロック）する方向、即ち、図９中、管路ユニット係止解除ノブ８１をロックする右方向に付勢している。
【００７１】
そして、着脱機構は、図９中、引張りコイルバネ１１２の付勢力に抗して管路ユニット係止解除ノブ８１を左方向に移動操作することで、管路ユニット装着部４３Ｂの係止爪挿通孔９１と管路ユニット係止片１１１の係止爪保持孔１１３との位置が合致し、管路ユニット４３Ａの係止爪８８を着脱することが可能となっている。このことにより、着脱機構は、管路ユニット係止解除ノブ８１を操作することで、管路ユニット装着部４３Ｂから管路ユニット４３Ａを着脱自在に取り外すことが可能である。
【００７２】
このように構成される内視鏡システム１は、図１で説明したように内視鏡本体２が光源装置３に接続されると共に、この光源装置３にビデオプロセッサ４，吸引装置３１，前方送水装置３２，送液タンク３３及び高周波焼灼装置３４が接続されて内視鏡検査等に用いられる。
【００７３】
術者は、光源装置３のフロントパネル３ａに吸引装置３１等のチューブ・コード類を接続する。先ず、術者は、図２で説明した総合コネクタ受け部４０の管路ユニット部４３に吸引装置３１等のチューブ類３１ａ〜３３ａを接続する。
【００７４】
術者は、吸引コネクタ４４に吸引装置３１の排出チューブ３１ａを接続し、前方送水用送液コネクタ４５に前方送水装置３２の前方送水用導液チューブ３２ａを接続し、送液コネクタ４６及び加圧コネクタ４７に送液タンク３３のタンクチューブ３３ａを接続する。尚、加圧コネクタ４７はタンクチューブ３３ａの加圧チューブ３３ａａに接続されると共に、送液コネクタ４６はタンクチューブ３３ａの導液チューブ３３ａｂに接続される（図１１参照）。更に、術者は、電気メス等を用いて患部に高周波処置を施す場合には、アース口金４９に高周波焼灼装置３４のアースコード３４ａを接続する。
【００７５】
そして、術者は、内視鏡本体２を光源装置３に接続する。ここで、術者は、内視鏡本体２の総合コネクタ２９を光源装置３の総合コネクタ受け部４３にワンアクションで接続する。すると、内視鏡本体２の総合コネクタ２９は、光源装置３の総合コネクタ受け部４３に対し、電気コネクタ５１が電気コネクタ受け部４１に接続され、ライトガイドコネクタ５２がライトガイド受け部４２に接続され、流体コネクタ５３が流体コネクタ受け部４８に接続される。
【００７６】
ここで、流体コネクタ５３と流体コネクタ受け部４８との接続において、図１１に示すように流体コネクタ５３が流体コネクタ受け部８４に接続され、吸引コネクタ５５が吸引コネクタ受け部８５に接続され、加圧コネクタ５６が加圧コネクタ受け部８６に接続され、送液コネクタ５７が送液コネクタ受け部８７に接続される。
そして、術者は、内視鏡本体２の挿入部１１を被検体の体腔内などに挿入し、被検部位を観察する。
【００７７】
ここで、例えば、内視鏡本体２は、挿入部先端部１４の観察窓２１が体液の付着により汚れてしまい内視鏡観察が困難になってしまう場合がある。
このとき、術者は、内視鏡操作部１２の送気送水操作釦２６を押下操作し、送気送水ノズル２２から観察窓２１の表面に気体や液体等の流体を噴きつけて洗滌する。
【００７８】
先ず、術者は、送気送水操作釦２６を指で塞いで送気する。
すると、光源装置３は、制御回路８０の制御により送気バルブ７９を送気ポンプ７８からの送気ガスが管路ユニット部４３へ供給されるように切り換える。
【００７９】
すると、送気バルブ７９からの送気ガスは、装置側第１送気チューブ９６ａを介して送気入力コネクタ８９へ伝達され、この送気入力コネクタ８９から管路ユニット４３Ａへ供給される。
そして、管路ユニット４３Ａへ供給された送気ガスは、ユニット内送気チューブ１０１及び送気・加圧分岐部１０２を介して加圧コネクタ受け部８６へ供給される。
【００８０】
尚、ここで、術者は、図１２に示す送気送水操作釦２６の透孔２６ａ開口端を指で塞いだだけで、送気送水操作釦２６を押下操作していない。このため、送気送液制御弁６６は、送液チューブ６４を閉じて送気チューブ６３が開通する状態とする。従って、管路ユニット４３Ａへ供給された送気ガスは、加圧コネクタ４７へ供給されず、加圧コネクタ受け部８６へ供給される。
【００８１】
そして、送気ガスは、流体コネクタ受け部４８の加圧コネクタ受け部８６から流体コネクタ５３の加圧コネクタ５６へ供給される。即ち、送気ガスは、光源装置３の管路ユニット部４３から内視鏡本体２の総合コネクタ２９へ供給される。
【００８２】
内視鏡本体２へ供給された送気ガスは、図３で説明したように送気チューブ６３を通過し、送気送液管路分岐部６７を介して送気送液チューブ６８に合流し、挿入部先端部１４の送気送水ノズル２２まで導かれる。そして、送気ガスは、送気送水ノズル２２の開口から観察窓２１の表面に向けて噴きつけられて付着物を吹き飛ばす。
【００８３】
ここで、観察窓２１の汚れが取れない場合、術者は、更に観察窓２１の表面を送水によって洗滌する。術者は、送気送水操作釦２６を押下操作する。
すると、管路ユニット４３Ａへ供給された送気ガスは、ユニット内送気チューブ１０１及び送気・加圧分岐部１０２を介して加圧コネクタ４７へ供給される。
【００８４】
尚、ここで、送気送水操作釦２６を押下操作しているので、内視鏡本体２内の送気チューブ６３を閉じて送液チューブ６４が開通するように、即ち、送気管路を閉じて送液管路が開通するように送気送液制御弁６６が開閉することにより、管路ユニット４３Ａへ供給された送気ガスは、加圧コネクタ受け部８６へ供給されず、加圧コネクタ４７へ供給される。
【００８５】
そして、送気ガスは、加圧コネクタ４７からタンクチューブ３３ａの加圧チューブ３３ａａを介して送液タンク３３内へ供給され、このタンク内の空気部分を加圧し、タンク内に蓄積された液体の液面を加圧する。加圧された液体は、タンクチューブ３３ａの導液チューブ３３ａｂを介して光源装置３の管路ユニット部４３へ供給される。
【００８６】
送液タンク３３からの液体は、流体コネクタ受け部４８の送液コネクタ４６から管路ユニット４３Ａ内に導入され、ユニット内送液チューブ１０５を介して送液コネクタ受け部８７へ導かれる。
そして、液体は、流体コネクタ受け部４８の送液コネクタ受け部８７から流体コネクタ５３の送液コネクタ５７へ供給される。即ち、滅菌水は、光源装置３の管路ユニット部４３から内視鏡本体２の総合コネクタ２９へ供給される。
【００８７】
そして、内視鏡本体２へ供給された液体は、図３で説明したように送液チューブ６４を通過し、送気送液管路分岐部６７を介して送気送液チューブ６８に合流し、挿入部先端部１４の送気送水ノズル２２まで導かれる。この液体は、送気送水ノズル２２の開口から観察窓２１の表面に向けて噴きつけられてこの観察窓２１の表面を洗滌する。
【００８８】
そして、観察窓２１の洗滌が十分であると判断した場合、術者は、更に送気送水操作釦２６を押下操作して内視鏡システム１を元の状態に復帰させる。
尚、本実施の形態では、代表例として送気送水について説明したが、前方送水や吸引については、説明を省略する。
【００８９】
内視鏡検査が終了すると、術者は、内視鏡本体２を取り外して洗浄・消毒する。
この際、内視鏡本体２は、光源装置３とのみ接続されているので、内視鏡本体２の総合コネクタ２９を光源装置３の総合コネクタ受け部４０からワンアクションで取り外すのみで、内視鏡本体２を取り外せる。また、吸引装置３１等のチューブ・コード類３１ａ〜３４ａは、取り外す必要がなく、光源装置３に接続されたままで良い。そして、術者は、内視鏡本体２を洗浄・消毒し、次の内視鏡検査に備える。
【００９０】
この結果、本実施の形態の内視鏡システム１は、内視鏡本体２に対するチューブ・コード類３１ａ〜３４ａの接続をワンアクションで可能にして作業性が良いという効果を得る。
尚、本実施の形態では、内視鏡本体２の総合コネクタ２９を外部装置としての光源装置３に設けた総合コネクタ受け部に接続するように構成しているが、本発明はこれに限定されず、光源装置と内視鏡本体２との間を接続する中継ユニットを外部装置として設け、この中継ユニットに総合コネクタ受け部を設けて構成しても良い。
【００９１】
また、本発明は、以上述べた実施の形態のみに限定されるものではなく、発明の要旨を逸脱しない範囲で種々変形実施可能である。
【００９２】
［付記］
（付記項１）  被検体の内部を観察可能に構成した内視鏡本体と、
前記被検体の被検部位を照明するための照明光を発生する光源を有する外部装置と、
前記内視鏡本体から噴出させる流体を供給する又は前記内視鏡本体より流体を吸引する前記外部装置と別体に設けた流体装置と、
前記内視鏡本体を前記外部装置に接続するための前記内視鏡本体の一端部側に設けたコネクタと、
前記コネクタを介して前記内視鏡本体に入射した光を前記内視鏡本体の他端部側まで伝達する前記内視鏡本体に設けた光伝達手段と、
前記コネクタを介して前記内視鏡本体に流体の通過を可能とする前記内視鏡本体に形成した流体通路と、
前記コネクタが挿入されることで、前記内視鏡本体を前記外部装置に接続する前記外部装置に設けたコネクタ受けと、
前記光源からの照明光を前記コネクタ受けに導光する導光手段と、
前記コネクタ受けへの前記コネクタの挿入動作に応じて前記導光手段と光学的に接続される前記光伝達手段の一端部側に設けた光入射部と、
前記コネクタ受けへの前記コネクタの挿入動作に応じて前記流体装置から供給された流体又は前記流体装置に吸引された流体を前記流体通路へ流入可能に形成した前記流体通路の一端部側に設けた流体通路開口部と、
前記コネクタ受けへの前記コネクタの挿入動作に応じて前記流体通路開口部に接続されることで、前記流体装置から供給された流体又は前記流体装置に吸引された流体を前記外部装置を経由して前記流体通路開口部へ流入させる流路を形成した流体供給管路と、を具備したことを特徴とする内視鏡システム。
【００９３】
（付記項２）  前記流体供給管路は、前記コネクタ受けへの前記コネクタの挿入動作に応じて前記流体通路開口部に接続される第１の接続管路と、この第１の接続管路と前記流体装置とを接続して前記流体装置から供給された流体又は前記流体装置に吸引された流体を前記第１の接続管路と流通させる第２の接続管路と、を具備したことを特徴とする付記項１に記載の内視鏡システム。
【００９４】
（付記項３）  前記内視鏡本体と前記外部装置との間で所定の電気信号を伝送するための前記コネクタに設けた第１の電気接続手段と、
前記コネクタ受けへの前記コネクタの挿入動作に応じて前記第１の電気接続手段と電気的に接続して前記内視鏡本体と前記外部装置との間で前記電気信号を伝送可能とする前記コネクタ受けに設けた第２の電気接続手段と、を更に具備したことを特徴とする付記項１に記載の内視鏡システム。
【００９５】
（付記項４）  前記外部装置の内部に前記第１の接続管路を配設したことを特徴とする付記項２に記載の内視鏡システム。
（付記項５）  前記外部装置に対して着脱自在に構成した管路ユニットに前記第１の接続管路を設けたことを特徴とする付記項２又は４に記載の内視鏡システム。
【００９６】
（付記項６）  前記第１の接続管路は、前記流体通路開口部と接続するための所定の方向に開口した第１の開口部と、前記第２の接続管路と接続するための前記第１の開口部と同一方向に開口した第２の開口部と、を具備したことを特徴とする付記項２〜５に記載の内視鏡システム。
【００９７】
【発明の効果】
以上説明したように本発明によれば、内視鏡本体に対するチューブ・コード類の接続をワンアクションで可能にして作業性の良い内視鏡システムを実現できる。
【図面の簡単な説明】
【図１】本発明の１実施の形態の内視鏡システムを示す全体構成図
【図２】図１の光源装置及びビデオプロセッサの接続関係を示す説明図
【図３】図１の内視鏡本体内の流体通路を示す説明図
【図４】図２の光源装置及びビデオプロセッサの内部構成を示す回路ブロック図
【図５】図２の光源装置の総合コネクタ受け部付近を示す拡大斜視図
【図６】図５の管路ユニットの背面側を示す斜視図
【図７】図５の光源装置の総合コネクタ受け部付近を示す正面図
【図８】図５の光源装置内部の管路ユニット装着部付近及び管路ユニットの内部構成を示す説明図
【図９】光源装置の着脱機構付近を示す要部断面図
【図１０】図９の着脱機構付近の縦断面図
【図１１】本実施の形態の作用を示す説明図
【図１２】送気送液制御弁付近の説明図
【図１３】従来の内視鏡システムを示す全体構成図
【図１４】図１３の内視鏡本体のコネクタを示す外観斜視図
【符号の説明】
１…内視鏡システム
２…内視鏡本体
３…光源装置（外部装置）
４…ビデオプロセッサ
３１…吸引装置
３１ａ…排出チューブ
３２…前方送水装置
３２ａ…前方送水用導液チューブ
３３…送液タンク
３３ａ…タンクチューブ
３４…高周波焼灼装置
３４ａ…アースコード
４０…総合コネクタ受け部
４１…電気コネクタ
４２…ＬＧコネクタ
４３…管路ユニット部
４４…吸引コネクタ
４５…前方送水用送液コネクタ
４６…送液コネクタ
４７…加圧コネクタ
４８…流体コネクタ受け部
４９…アース口金
５１…電気コネクタ
５２…ライトガイドコネクタ
５３…流体コネクタ
【図１】
2004337311.tif 000003
【図２】
2004337311.tif 000004
【図３】
2004337311.tif 000005
【図４】
2004337311.tif 000006
【図５】
2004337311.tif 000007
【図６】
2004337311.tif 000008
【図７】
2004337311.tif 000009
【図８】
2004337311.tif 000010
【図９】
2004337311.tif 000011
【図１０】
2004337311.tif 000012
【図１１】
2004337311.tif 000013
【図１２】
2004337311.tif 000014
【図１３】
2004337311.tif 000015
【図１４】
2004337311.tif 000016